(57)【要約】【課題】屋外に設置する太陽電池用架台は多くの部品で構成され、設置現場で組み立てる為、多くの時間と手間を要した。本発明は、設置現場で簡単に運搬・組立できる太陽電池用架台を提供する。【解決手段】  太陽電池パネル用支持フレームに、折り畳んだ時にお互いが接触あるいは交差することなく支持フレームと水平に折りたためる構造の３組の支柱を設ける。本発明は、以上の構成よりなる太陽電池用架台である。【選択図】図７
2014109188.tif 000002
【特許請求の範囲】
【請求項１】
太陽電池を支える為に３組の支柱を持ち、かつ、それぞれの支柱が架台から離れることなく角度を変えた後、固定する事が出来ることを特徴とする太陽電池用架台。
【請求項２】
太陽電池を支える為に少なくとも３組以上の支柱を持ち、少なくともそのうちの２組以上の支柱は太陽電池に対して角度が固定され、なおかつ少なくとも１本以上の支柱は架台設置後も任意に太陽電池に対して角度を変えて固定することができる構造をもつことを特徴とする太陽電池用架台。
【請求項３】
請求項１に記載の太陽電池用架台おいて、２つの架台を並べたときにそれぞれ相対する２本の支柱の一部を重ね合わせて、１つの基礎を共有することが出来ることを特徴とする太陽電池用架台。
【請求項４】
請求項１に記載の太陽電池用架台おいて、２つの架台を並べ、連結フレームで繋げたときに、それぞれ相対する２本の支柱と連結フレームによりトラス構造を構成出来ることを特徴とする太陽電池用架台。
【請求項５】
請求項１に記載の太陽電池用架台おいて、３組の支柱のうち少なくとも１組は２本のフレームにより構成されたＶ字型の形状を持つことを特徴とする太陽電池用架台
【請求項６】
請求項１に記載の太陽電池用架台おいて、３組の支柱全てがお互い接する、あるいは交差することなく太陽電池に対して水平となる角度で折りたたむことが出来ることを特徴とする太陽電池用架台。
【発明の詳細な説明】
【技術分野】
【０００１】  本発明は、太陽電池用架台に関するものである。
【背景技術】
【０００２】  屋外に設置する太陽電池パネルは雪の重みで潰れるあるいは風で飛ばされないよう、しっかりとした架台に取り付ける必要がある。また、この架台は太陽電池がより多く発電できるよう、水平な地面や屋上などに対して適度な角度を持って太陽電池を固定できるような構造である事が望ましい。さらに太陽電池は下に溜まった雪、あるいは伸びた雑草などの陰とならないよう、ある程度の高さに設置できる構造であることが望ましい。この為、架台は一般に多くの長さや形状の異なるフレームやネジなどを使用してその構造を成していた。
【先行技術文献】
【０００３】
【特許文献１】特願２０１１−２４５７２
【発明の開示】
【発明が解決しようとする課題】
【０００４】太陽電池架台は一般的に複数個の太陽電池パネルを、多数の支柱を持つ大型の架台で支えるのが一般的であるが、この場合、それを構成する部品の種類や部品点数が非常に多くなり、運送や設置現場での管理が大変になる。【０００５】少数のパネルを１本の強固な支柱で支える方法もあり、部品の種類と部品点数は大幅に減少するが、１本の支柱で３組の支柱と同じ強度を持たせるには支柱は太く強固にする必要があり、架台が高価となるとともに、設置現場では基礎に取り付けるまで自立出来ないので設置作業が難かしかった。
【課題を解決するための手段】
【０００６】太陽電池パネルを支える架台の支柱が角度の調整が可能な３組の支柱で構成され、かつこれらの支柱をお互いの支柱が接触や交差することなく太陽電池用パネルに対して水平になるまで角度を変えることが出来る構造よりなる太陽電池用三脚架台である。
【発明の効果】
【０００７】  本考案の太陽電池用三脚架台は、工場内で組立と検査を流れ作業で効率よく行なった後、支柱を平らに折りたたんで小さくする事により、ばらばらの部材をそれぞれ梱包し、運搬するより積載効率よく設置現場まで運ぶことが出来る。また、設置現場では支柱を開いてネジを増締め・固定することにより簡単に設置することが出来るとともに、この時支柱は角度の調整が可能な３組の支柱で構成されているため、多少基礎の位置や高さにばらつきがあっても安定して自立する事ができる。又、３組の支柱で支えるので１本支柱のものより軽量となるとともに基礎に取り付ける前でも自立出来るので、設置現場での運搬・設置が簡単になる。
【図面の簡単な説明】
【０００８】
【図１】本発明の使用状態で、太陽電池パネルが付いた状態の表面斜視図
【図２】本発明の使用状態で、太陽電池パネルを取り除いた状態の表面斜視図
【図３】本発明の使用状態で、太陽電池パネルが付いた状態の背面斜視図
【図４】本発明の使用状態で、太陽電池パネルを取り除いた状態の表面斜視図
【図５】本発明の使用状態で、太陽電池パネルを取り除いた状態の背面図
【図６】本発明の支柱を折りたたんだ状態の架台の斜視図
【図７】本発明の太陽電池パネルの付いた状態の架台を２台並べた状態の斜視図
【図８】本発明の太陽電池パネルの付いた状態の架台を２台並べた状態の平面図
【図９】本発明の太陽電池パネルの付いた状態の架台を２台並べ、連結フレームを付けた状態の正面図
【発明を実施するための形態】
【０００９】以下、発明の実施例を図１〜図９を用いて説明する。太陽電池パネル（１）は太陽電池パネル支持フレーム（５）に背面より太陽電池パネル取付けネジ（６）により固定される。なを、太陽電池パネル取付けネジ（６）の代わりにクランプなどで太陽電池パネル（１）を固定しても良い。太陽電池パネル支持フレーム（５）は支柱右（２）、支柱左（３）、支柱中（４）の３組の支柱で支えられ、三脚架台を構成する。これら３組の支柱はそれぞれＶ字形を成す２本のフレームで構成されていて、開かれた側の端はそれぞれ支柱右用固定ネジＡ（７），支柱右用固定ネジＢ（８），支柱左用固定ネジＡ（９），支柱左用固定ネジＢ（１０），支柱中用固定ネジＡ（１１），支柱中用固定ネジＢ（１２）の６組の固定ネジにより太陽電池パネル支持フレーム（５）と固定されている。なを、Ｖ字形を構成する２本のフレームは必ずしも対称である必要は無い。支柱はＶ字型の支柱の代わりに強固なパイプなどを用いた１本支柱であっても良い。１組の支柱に付く２組の固定ネジは同一軸上に設置することにより、ネジが緩み、基礎に固定されていない状態では各支柱はこの軸を中心に回転させることが出来る。これら６組の固定ネジを緩めることにより３組の支柱は太陽電池パネル支持フレーム（５）と繋がったまま可動することが出来、３組の支柱それぞれの大きさや形状を最適化することにより、図６に示すように、お互いの支柱が接触や交差する事なく太陽電池パネル（１）あるいは太陽電池パネル支持フレーム（５）と水平に折りたたみ、運送に適した形状にする事が出来る。なを、運送時は太陽電池パネル（１）を大要電池パネル支持フレーム（５）に付いた状態でも、付いてない状態でも良い。各支柱のＶ字形の頂点にあたる部分にはそれぞれ支柱右基礎取付け用ネジ穴（１３）、支柱左基礎取付け用ネジ穴（１４）、支柱中基礎取付け用ネジ穴（１５）が設けられており、基礎を介して地面に固定する事が出来る。
【００１０】２基以上の三脚架台を並べて設置し、太陽電池アレイを作るとき、支柱右（２）及び支柱左（３）を図８に示すように上面から見たとき太陽電池パネル（１）より外側に広げ、支柱右基礎取付け用ネジ穴（１３）と支柱左基礎取付け用ネジ穴（１４）をお互い重ね合わせることにより、１つの基礎を共有する事が出来、基礎の数量を減らすことが出来る。図７及び図８は三脚架台２基を並べた状態だが、無限に横に繋げる事が可能であり、この時基礎の数は１基あたり２本で済むことになる。なを、この時図９に示すように左右の相対する支柱右（２）、支柱左（３）と連結フレーム（１６）とでトラス構造を形成するように連結フレーム（１６）を設けることにより、横方向の力に対してより強固にする事ができる。なを、各３脚架台はそれぞれが３脚で安定して自立するとともに、３組の支柱の取付け角度や基礎の取付け面の角度を地形に合せて変えられることから、丘陵地など土地が平らでなくとも地形なりに設置することが容易である。さらに、支柱右（２）、支柱左（３）を固定した状態で、支柱中（４）用の基礎を前後に夏用・冬用など２箇所以上設置し、季節に合せて固定する基礎を変更することにより、太陽電池パネル（１）の角度を季節に適した角度に容易に変更することが出来る。
【符号の説明】
【００１１】    １  太陽電池パネル
２  支柱右
３  支柱左
４  支柱中
５  太陽電池パネル支持フレーム
６  太陽電池パネル取付けネジ
７  支柱右用固定ネジＡ
８  支柱右用固定ネジＢ
９  支柱左用固定ネジＡ
１０  支柱左用固定ネジＢ
１１  支柱中用固定ネジＡ
１２  支柱中用固定ネジＢ
１３  支柱右基礎取付け用ネジ穴
１４  支柱左基礎取付け用ネジ穴
１５  支柱中基礎取付け用ネジ穴
１６  連結フレーム
【図１】
2014109188.tif 000003
【図２】
2014109188.tif 000004
【図３】
2014109188.tif 000005
【図４】
2014109188.tif 000006
【図５】
2014109188.tif 000007
【図６】
2014109188.tif 000008
【図７】
2014109188.tif 000009
【図８】
2014109188.tif 000010
【図９】
2014109188.tif 000011